(57)【要約】      （修正有）【課題】薄型化を図ることができるとともにコネクタカバーの固定を簡略化してコネクタの小型化を図ることができる照明器具を提供する。【解決手段】照明器具１０は、器具本体１１と、器具本体１１に組付けられた取付ホルダ１２と、取付ホルダ１２に内嵌されたアダプタ１３と、アダプタ１３に挿入接続されるコネクタ１４と、を備え、コネクタ１４のコネクタ本体２３に、速結端子部にリード線を接続するための電線挿入穴２９を、コネクタ１４の挿入方向とは直交する向きに配置した。【選択図】図１
2011096383.tif 000002
【特許請求の範囲】
【請求項１】
引掛シーリングボディに接続固定することにより器具本体を機械的及び電気的に接続保持するアダプタに電気的に接続するためのコネクタを有する照明器具であって、
前記コネクタは、絶縁物からなるコネクタ本体と、前記コネクタ本体に内蔵された速結端子部を有する接触端子と、前記コネクタの後端側を覆って前記接触端子を抜け止めするコネクタカバーとで構成され、前記コネクタ本体には、前記速結端子部に前記リード線を接続するための電線挿入穴が、前記コネクタの挿入方向とは直交する向きに配置されていることを特徴とする照明器具。
【請求項２】
前記コネクタは、前記電線挿入穴の前記コネクタ本体から突出した外郭面が、前記コネクタの挿入深さを制限するストッパーを兼ねることを特徴とする請求項１に記載の照明器具。
【請求項３】
前記接触端子の前記速結端子部は、前記リード線の芯線が押し付けられる導電部と、前記芯線を押し付ける鎖錠部とで構成され、前記導電部が前記コネクタの先端側に、前記鎖錠部が前記コネクタの後端側に、それぞれなるよう配置されていることを特徴とする請求項１または２に記載した照明器具。
【請求項４】
前記コネクタには、前記アダプタからの抜け止めロック部があり、前記コネクタ本体側に押し付けてロックを解除する解除レバーは前記電線挿入穴のある面の反対の面に設けられていることを特徴とする請求項３に記載した照明器具。
【請求項５】
前記コネクタカバーは、前記電線挿入穴がある面にヒンジで一体に繋がって形成され、前記ヒンジが前記電線挿入穴のある面に凸形状となるように配置されていることを特徴とする請求項１〜４のいずれかに記載した照明器具。
【発明の詳細な説明】
【技術分野】
【０００１】
本発明は、引掛シーリングボディにアダプタを接続固定することにより住宅等の天井面に直接取り付けられる直付型の照明器具に関する。
【背景技術】
【０００２】
従来の照明器具の一例として、リード線の先端に接続されたコネクタをアダプタに装着するようにしたものがある（例えば、特許文献１参照）。
【先行技術文献】
【特許文献】
【０００３】
【特許文献１】特開２００８−４７３６０号公報（図１、段落番号００２１）
【発明の概要】
【発明が解決しようとする課題】
【０００４】
ところが、特許文献１に開示された従来の照明器具においては、コネクタから引き出されたリード線が、コネクタの挿入方向と同一軸上逆方向の下方に向けて引き出されている。
従って、特許文献１の照明器具においては、リード線をコネクタの挿入方向に直交する方向に引き出す場合に、リード線をコネクタの引き出し部分から直角方向に曲げたとしても、少なくともリード線の直径分がコネクタ本体から突出することになって薄型化を阻害する要因となっていた。
【０００５】
一方、リード線をコネクタの挿入方向と直交する方向に向けて引き出してコネクタカバーによりリード線を規制するようにした照明器具も提案されたが、このような照明器具では、リード線に印加された張力がコネクタカバーに直接伝わることになる。
従って、このような照明器具においては、コネクタカバーの固定を強固にしなければならず、それにより、コネクタの大型化をまねく要因となりうる。
【０００６】
本発明は、前述した課題を解決するためになされたものであり、その目的は、薄型化できるとともにコネクタカバーの固定を簡略化してコネクタを小型化できる照明器具を提供することにある。
【課題を解決するための手段】
【０００７】
本発明に係る照明器具は、引掛シーリングボディに接続固定することにより器具本体を機械的及び電気的に接続保持するアダプタに電気的に接続するためのコネクタを有する照明器具であって、前記コネクタは、絶縁物からなるコネクタ本体と、前記コネクタ本体に内蔵された速結端子部を有する接触端子と、前記コネクタの後端側を覆って前記接触端子を抜け止めするコネクタカバーとで構成され、前記コネクタ本体には、前記速結端子部に前記リード線を接続するための電線挿入穴が、前記コネクタの挿入方向とは直交する向きに配置されていることを特徴とする。
【０００８】
本発明においては、速結端子部にリード線を接続するための電線挿入穴が、コネクタの挿入方向とは直交する向きにコネクタ本体に形成されている。
これにより、本発明においては、リード線はコネクタカバーに接触することなく、独立して形成されている電線挿入穴を通じて引き出されることになるので、リード線に印加された張力を電線挿入穴の内面で受けることにより、リード線に印加された張力がコネクタカバーに伝わることがない。
従って、本発明においては、コネクタカバーの固定を強固にする必要がなくなってコネクタを小型化できるとともに全体を薄型化できる。
【０００９】
本発明に係る照明器具は、上記照明器具において、前記コネクタは、前記電線挿入穴の前記コネクタ本体から突出した外郭面が、前記コネクタの挿入深さを制限するストッパーを兼ねることを特徴とする。
【００１０】
本発明においては、コネクタは、電線挿入穴のコネクタ本体から突出した外郭面によりＬ字状になっているために、アダプタに電気的に接続するために挿入された際に、外郭面がアダプタに当接した位置で挿入を停止することになる。
これにより、本発明においては、電線挿入穴の外郭面がコネクタの挿入方向のストッパーとして機能する。
従って、本発明においては、電線挿入穴の外郭面によりコネクタのアダプタへの挿入深さを簡単に設定することができる。加えて、リード線をコネクタの後端側から先端側に遠ざけることができるとともにコネクタの着脱時のツマミ代を確保することができる。
【００１１】
本発明に係る照明器具は、上記照明器具において、前記接触端子の前記速結端子部は、前記リード線の芯線が押し付けられる導電部と、前記芯線を押し付ける鎖錠部とで構成され、前記導電部が前記コネクタの先端側に、前記鎖錠部が前記コネクタの後端側に、それぞれなるよう配置されていることを特徴とする。
【００１２】
本発明においては、接触端子は、速結端子部に導電部と鎖錠部とを有し、導電部がコネクタの先端側に配置され、鎖錠部がコネクタの後端側に配置される。
これにより、本発明においては、接触端子の形状を汎用性に富む簡潔な形状にすることができる。
従って、本発明においては、接触端子の種類を単一にすることができる。加えて、接触端子の展開形状が長方形に近い形となって歩留りが良好になるために、効率的な生産を行うことができる。
【００１３】
本発明においては、リード線の芯線が押し付けられる導電部がコネクタの先端側に配置される。
これにより、本発明においては、電線挿入穴がアダプタに近い位置に配置される。
従って、本発明においては、リード線のランプからの距離を確保することにより、リード線への熱および紫外線等の影響を小さくすることができる。
【００１４】
本発明に係る照明器具は、上記照明器具において、前記コネクタには、前記アダプタからの抜け止めロック部があり、前記コネクタ本体側に押し付けてロックを解除する解除レバーは前記電線挿入穴のある面の反対の面に設けられていることを特徴とする。
【００１５】
本発明においては、解除レバーは、指等で摘んでコネクタ本体側に押し付けることにより、抜け止めロック部によるロックを解除する。このとき、解除レバーが電線挿入穴のある面の反対の面に設けられているために、解除レバーと電線挿入穴側の面とを指で摘んで解除動作を行うことになる。
これにより、本発明においては、解除レバーの解除動作時のつまみ代が確保される。
従って、本発明においては、解除レバーによる解除動作の操作性を向上させることができる。
【００１６】
本発明に係る照明器具は、上記照明器具において、前記コネクタカバーは、前記電線挿入穴がある面にヒンジで一体に繋がって形成され、前記ヒンジが前記電線挿入穴のある面に凸形状となるように配置されていることを特徴とする。
【００１７】
本発明においては、ヒンジは電線挿入穴のある面に凸形状となって形成される。
これにより、本発明においては、コネクタを着脱操作する際に、凸形状部分に指を引掛けるようにできる。
従って、本発明においては、コネクタの着脱時に摘みやすくなって着脱操作性を向上させることができる。加えて、成形した時点でコネクタ本体とコネクタカバーとが一体化されているために、部品点数の減少を図れるとともに組立工数の削減を図ることができる。
【発明の効果】
【００１８】
本発明の照明器具によれば、コネクタは、コネクタ本体に、速結端子部にリード線を接続するための電線挿入穴をコネクタの挿入方向とは直交する向きに配置した。
これにより、本発明の照明器具によれば、薄型化できるとともにコネクタカバーの固定を簡略化してコネクタを小型化できるという効果を有する。
【図面の簡単な説明】
【００１９】
【図１】本発明に係る第１実施形態の照明器具のコネクタ装着前の垂直断面図
【図２】図１の照明器具のコネクタ装着後の垂直断面図
【図３】図１のコネクタの分解斜視図
【図４】図１のコネクタのＡ−Ａ線断面図
【図５】図１のコネクタの右側面図
【図６】図１のコネクタに適用される接触端子の展開図
【図７】図２の照明器具の背面から視た垂直断面図
【図８】図２の照明器具の左側面から視た垂直断面図
【図９】本発明に係る第２実施形態の照明器具に適用されるコネクタのコネクタカバー装着前の側面図
【図１０】図９のコネクタのコネクタカバー装着後の側面図
【発明を実施するための形態】
【００２０】
以下、本発明の複数の実施形態に係る照明器具について図面を参照して説明する。
【００２１】
（第１実施形態）
図１、図２に示すように、本発明の第１実施形態である照明器具１０は、器具本体１１と、器具本体１１に組付けられた取付ホルダ１２と、取付ホルダ１２に内嵌されたアダプタ１３と、アダプタ１３に挿入接続されるコネクタ１４と、を備え、コネクタ１４の下方において器具本体１１に不図示の円環形状の蛍光ランプを保持し、器具本体１１に不図示のカバーを装着して、アダプタ１３を天井面１に設置されている引掛けシーリングボディ２に引っ掛けて天井面１に取り付けられる。
【００２２】
器具本体１１は、例えば薄板鋼板材を用いて円板形状に形成されている。器具本体１１の中央部には取付ホルダ１２を装着させるためのホルダ取付孔１５が形成されている。器具本体１１は、その外縁部の下面に複数の不図示のランプ保持部品を取り付けており、これらランプ保持部品を介して蛍光ランプが保持される。
【００２３】
取付ホルダ１２は、例えば硬質の樹脂材料を用いて小判形状等の外観に形成されて中央部に円環部１６を有し、器具本体１１のホルダ取付孔１５に内嵌されている。取付ホルダ１２は、円環部１６の内周部にアダプタ係止用の係止突部受１７を有する。
【００２４】
アダプタ１３は、取付ホルダ１２の円環部１６に内嵌される外径を有し、内部に一対のアダプタ端子１８を収容している。アダプタ端子１８は、その一端部に、引掛けシーリングボディ２内の不図示の給電端子に引掛けられて給電端子に電気的に接続される屈曲端部１９を有する。アダプタ端子１８は、その他端部に、アダプタ１３に形成されているコネクタ挿入部（図７参照）２０内に配置されたコネクタ接続端部（図７参照）２１を有する。アダプタ１３は、その外周部に形成されている係止突部２２を取付ホルダ１２の係止突部受１７に係止することにより取付ホルダ１２に組付けられる。
【００２５】
図３、図４、図５に示すように、コネクタ１４は、硬質の絶縁性を有する樹脂材料を用いて四角柱の外観を有するものとして形成されたコネクタ本体２３と、コネクタ本体２３に有する縦穴である一対の端子キャビティ２４内にそれぞれ収容されていて一対の速結端子部２５を有する一対の接触端子２６と、コネクタ１４の端子キャビティ２４の後端部を覆って接触端子２６を抜け止めするコネクタカバー２７と、接触端子２６に電気的に接続される一対のリード線２８とを備える。
【００２６】
コネクタ本体２３には、リード線２８を接続するための横穴である一対の電線挿入穴２９を形成した電線挿入部３０をコネクタ１４の挿入方向とは直交する向きに形成している。一対の電線挿通穴２９は一対の端子キャビティ２４内にそれぞれ連通接続されている。コネクタ本体２３は、その後端部に電線挿入部３０を接続しているために、電線挿入部３０とでＬ字形状に形成されている。
【００２７】
コネクタ本体２３は、電線挿入部３０のある面の反対側の面に、アダプタ１３に係止される抜け止めロック部３１を一端部に有するシーソー式の解除レバー３２を備えている。解除レバー３２は、コネクタ１４のコネクタ本体２３がアダプタ１３に挿入接続された際にアダプタ１３に有する係止部（図８参照）３３に抜け止めロック部３１が係止されて抜け止められる。
【００２８】
これに対して、解除レバー３２は、抜け止めロック部３１がアダプタ１３の係止部３３に係止している装着時に、抜け止めロック部３１の反対側を押圧することにより抜け止めロック部３１が係止部３３から係止解除されてコネクタ１４のアダプタ１３へのロックを解除する。
【００２９】
コネクタカバー２７は、コネクタ本体２３と同様の樹脂材料を用いて板形状に形成されている。コネクタカバー２７は、コネクタ本体２３の端子キャビティ２４内に接触端子２６を挿入させた後にコネクタ本体２３の後端部に組付けられることにより端子キャビティ２４の後端部内に嵌め込まれて接触端子２６を抜け止めする。
【００３０】
接触端子２６は、その先端部にアダプタ端子１８のコネクタ接続端部に接続される筒形状のアダプタ端子接続部３４を有し、中間屈曲部３５を介して基端部に速結端子部２５を配置している。速結端子部２５は、リード線２８に有する芯線３６が押し付けられる導電部３７と、芯線３６を押し付ける鎖錠部３８とを有する。
【００３１】
リード線２８は、器具本体１１に取り付けられる不図示の安定器に電気的に接続される。安定器は不図示の器具配線を通じて不図示のソケットに電気的に接続される。
【００３２】
図６に示すように、接触端子２６は、その先端部にアダプタ端子１８のコネクタ接続端部２１に接続される筒形状のアダプタ端子接続部３４を有し、その基端部に速結端子部２５を配置しているために、その展開形状が長方形に近い簡潔な形状になって歩留りを良好にすることができる。
【００３３】
接触端子２６は、アダプタ端子接続部３４を先にして、中間屈曲部３５が端子キャビティ２４の水平部分に当接するまで、端子キャビティ２４の後端開口部から端子キャビティ２４内に挿入される。そして、芯線３６を露出させたリード線２８を電線挿入穴２９に押圧挿入していくことにより、芯線３６が鎖錠部３８により導電部３７に押し付けられて電気的に接続される。これにより、接触端子２６は、その導電部３７をコネクタ１４の先端側に配置し、その鎖錠部３８をコネクタ１４の後端側に配置する。
【００３４】
図７、図８に示すように、アダプタ１３には、コネクタ１４を挿入するための四角形穴形状のコネクタ挿入部２０を有する。コネクタ挿入部２０内には、アダプタ端子１８のコネクタ接続端部２１を配置しており、係止部３３を形成している。
【００３５】
コネクタ１４は、アダプタ１３のコネクタ挿入部２０に挿入される。このとき、コネクタ１４はコネクタ挿入部２０に挿入されていく際に、電線挿入穴２９を形成しているコネクタ本体２３から突出した外郭面である電線挿入部３０がアダプタ１３の下面に当接してアダプタ１３へのストッパーとして機能するために、電線挿入部３０がアダプタ１３の下面に当接する位置Ａをコネクタ１４の挿入深さに設定してコネクタ１４の挿入量を制限することができる。
【００３６】
コネクタ１４は、位置Ａにおいてアダプタ１３のコネクタ挿入部２０に挿入されたと同時に、解除レバー３２の抜け止めロック部３１がアダプタ１３の係止部３３に係止されて抜け止められる。
【００３７】
本発明の第１実施形態の照明器具１０では、速結端子部２５にリード線２８を接続するための電線挿入穴２９が、コネクタ１４の挿入方向とは直交する向きにコネクタ本体２３に形成されている。
これにより、本発明の第１実施形態の照明器具１０では、リード線２８はコネクタカバー２７に接触することなく、独立して形成されている電線挿入穴２９を通じて引き出されることになるので、リード線２８に印加された張力を電線挿入穴２９の内面で受けることにより、リード線２８に印加された張力がコネクタカバー２７に伝わることがない。
従って、本発明の第１実施形態の照明器具１０では、コネクタカバー２７の固定を強固にする必要がなくなってコネクタ１４を小型化できるとともに全体を薄型化できる。
【００３８】
本発明の第１実施形態の照明器具１０では、コネクタ１４は、電線挿入穴２９のコネクタ本体２３から突出した外郭面によりＬ字状になっているために、アダプタ１３に電気的に接続するために挿入された際に、電線挿入部３０がアダプタ１３に当接した位置で挿入を停止することになる。
これにより、本発明の第１実施形態の照明器具１０では、電線挿入部３０がコネクタ１４の挿入方向のストッパーとして機能する。
従って、本発明の第１実施形態の照明器具１０では、電線挿入部３０によりコネクタ１４のアダプタ１３への挿入深さを簡単に設定することができる。加えて、リード線２８をコネクタ１４の後端側から先端側に遠ざけることができるとともにコネクタ１４の着脱時のツマミ代を確保することができる。
【００３９】
本発明の第１実施形態の照明器具１０では、接触端子２６は、速結端子部２５に導電部３７と鎖錠部３８とを有し、導電部３７がコネクタ１４の先端側に配置され、鎖錠部３８がコネクタ１４の後端側に配置される。
これにより、本発明の第１実施形態の照明器具１０では、接触端子２６の形状を汎用性に富む簡潔な形状にすることができる。
従って、本発明の第１実施形態の照明器具１０では、接触端子２６の種類を単一にすることができる。加えて、接触端子２６の展開形状が長方形に近い形となって歩留りが良好になるために、効率的な生産を行うことができる。
【００４０】
本発明の第１実施形態の照明器具１０では、リード線２８の芯線３６が押し付けられる導電部３７がコネクタ１４の先端側に配置される。
これにより、本発明の第１実施形態の照明器具１０では、電線挿入穴２９がアダプタ１３に近い位置に配置される。
従って、本発明の第１実施形態の照明器具１０では、コネクタ１４の下方に組付けられる蛍光ランプからリード線２８までの距離を確保することにより、リード線２８を蛍光ランプから離すことによりリード線２８への熱および紫外線等の影響を小さくすることができる。
【００４１】
本発明の第１実施形態の照明器具１０では、解除レバー３２は、指等で摘んでコネクタ本体２３側に押し付けることにより、抜け止めロック部３１によるロックを解除する。このとき、解除レバー３２が電線挿入穴２９のある面の反対の面に設けられているために、解除レバー３２と電線挿入穴２９側の面とを指で摘んで解除動作を行うことになる。
これにより、本発明の第１実施形態の照明器具１０では、解除レバー３２の解除動作時のつまみ代が確保される。
従って、本発明の第１実施形態の照明器具１０では、解除レバー３２による解除動作の操作性を向上させることができる。
【００４２】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００４３】
図９、図１０に示すように、本発明の第２実施形態の照明器具５０は、コネクタ５１のコネクタ本体２３において電線挿入穴２９がある面にヒンジ５２で一体に繋がったコネクタカバー５３を備える。
【００４４】
コネクタカバー５３は、ヒンジ５２を介して図９中の矢印方向に回動されることにより、端子キャビティの後端部を閉塞して接触端子２６を抜け止めする。このとき、ヒンジ５２は、電線挿入穴２９のある面に凸形状のつまみ凸部５４を形成することになるために、コネクタ５１の着脱操作時につまみ凸部５４を指で引掛けるようになる。
【００４５】
本発明の第２実施形態の照明器具５０では、ヒンジ５２が電線挿入穴２９のある面に凸形状のつまみ凸部５４を形成する。
これにより、本発明の第２実施形態の照明器具５０では、コネクタ５１を着脱操作する際に、つまみ凸部５４に指を引掛けるようにできる。
従って、本発明の第２実施形態の照明器具５０では、コネクタ５１の着脱時に摘みやすくなって着脱操作性を向上させることができる。加えて、成形した時点でコネクタ本体２３とコネクタカバー５３とが一体化されているために、部品点数の減少を図れるとともに組立工数の削減を図ることができる。
【００４６】
なお、前記各実施形態で使用した器具本体１１、取付ホルダ１２、アダプタ１３等は例示したものに限定するものではなく適宜変更が可能である。
【符号の説明】
【００４７】
１  天井面
２  引掛シーリングボディ
１０、５０  照明器具
１１  器具本体
１３  アダプタ
１４、５１  コネクタ
２３  コネクタ本体
２５  速結端子部
２６  接触端子
２７、５３  コネクタカバー
２８  リード線
２９  電線挿入穴
３０  電線挿入部（外郭面）
３１  抜け止めロック部
３２  解除レバー
３７  導電部
３８  鎖錠部
５２  ヒンジ
【図１】
2011096383.tif 000003
【図２】
2011096383.tif 000004
【図３】
2011096383.tif 000005
【図４】
2011096383.tif 000006
【図５】
2011096383.tif 000007
【図６】
2011096383.tif 000008
【図７】
2011096383.tif 000009
【図８】
2011096383.tif 000010
【図９】
2011096383.tif 000011
【図１０】
2011096383.tif 000012